(57)【要約】【課題】適切に接続状態を制御することができる接続制御装置を提供する。【解決手段】接続制御装置は、ケーブルを介して接続される所定の電子機器との間の接続状態を制御する。接続制御装置は、制御ＩＣと、電位レベル検出部と、サージ保護回路と、分離回路と、判断部５１と、回路動作制御部５２とを備える。判断部５１は、電位レベル検出部により検出された電圧の電位レベルが第一の閾値および第一の閾値よりも高い第二の閾値を超えているか否かを判断する。回路作動制御部５２は、判断部５１により電位レベルが第一の閾値を超えており、第二の閾値を超えていないと判断されれば、サージ保護回路を作動させ、判断部により電位レベルが第二の閾値を超えていると判断されれば、分離回路を作動させるよう制御する。【選択図】図５
2017084107.tif 000002
【特許請求の範囲】
【請求項１】
ケーブルを介して接続される所定の電子機器との間の接続状態を制御する接続制御装置であって、
前記ケーブルを介してデータラインにより授受されるデータの通信を制御する制御ＩＣと、
前記所定の電子機器から印加される電圧の電位レベルを検出する電位レベル検出部と、
前記所定の電子機器から印加されるサージ電圧から前記制御ＩＣを保護するサージ保護回路と、
前記制御ＩＣと前記データラインとを分離する分離回路と、
前記電位レベル検出部により検出された前記電圧の電位レベルが第一の閾値および前記第一の閾値よりも高い第二の閾値を超えているか否かを判断する判断部と、
前記判断部により前記電位レベルが前記第一の閾値を超えており、前記第二の閾値を超えていないと判断されれば、前記サージ保護回路を作動させ、前記判断部により前記電位レベルが前記第二の閾値を超えていると判断されれば、前記分離回路を作動させるよう制御する回路作動制御部とを備える、接続制御装置。
【請求項２】
前記回路作動制御部により前記サージ保護回路または前記分離回路が作動されれば、その旨を報知する報知部をさらに備える、請求項１に記載の接続制御装置。
【請求項３】
前記報知部は、前記サージ保護回路の作動または前記分離回路の作動の旨を表示するよう制御する表示制御部を含む、請求項２に記載の接続制御装置。
【請求項４】
前記電位レベル検出部は、前記制御ＩＣのシングルグランドに設けられた抵抗体を含む、請求項１〜３のいずれか１項に記載の接続制御装置。
【請求項５】
前記ケーブルは、ＵＳＢケーブルを含む、請求項１〜４のいずれか１項に記載の接続制御装置。
【請求項６】
ケーブルを介して接続される所定の電子機器との間の接続状態を制御する接続制御装置と、前記接続制御装置により制御された接続によるデータの授受に基づき画像を形成する画像形成部とを含む画像形成装置であって、
前記接続制御装置は、
前記ケーブルを介してデータラインにより授受されるデータの通信を制御する制御ＩＣと、
前記所定の電子機器から印加される電圧の電位レベルを検出する電位レベル検出部と、
前記所定の電子機器から印加されるサージ電圧から前記制御ＩＣを保護するサージ保護回路と、
前記制御ＩＣと前記データラインとを分離する分離回路と、
前記電位レベル検出部により検出された前記電圧の電位レベルが第一の閾値および前記第一の閾値よりも高い第二の閾値を超えているか否かを判断する判断部と、
前記判断部により前記電圧の電位レベルが前記第一の閾値を超えており、前記第二の閾値を超えていないと判断されれば、前記サージ保護回路を作動させ、前記判断部により前記電圧の電位レベルが前記第二の閾値を超えていると判断されれば、前記分離回路を作動させるよう制御する回路作動制御部とを備える、画像形成装置。
【発明の詳細な説明】
【技術分野】
【０００１】
この発明は、接続制御装置、および画像形成装置に関するものである。
【背景技術】
【０００２】
複合機等に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナー等の現像剤を供給して可視画像とした後、用紙に転写して定着させて印刷し、装置外に排出する。
【０００３】
複合機は、例えば、ＵＳＢ（Ｕｎｉｖｅｒｓａｌ  Ｓｅｒｉａｌ  Ｂｕｓ）ケーブルで接続されたコンピューターからの印刷の要求に応じて、印刷を行うことができる。ケーブルを用いて、電子機器とコンピューターとを接続する際の技術が、特開２００４−１４５５６１号公報（特許文献１）、および特開２０１２−１９１７４４号公報（特許文献２）に開示されている。特許文献１によると、ＵＳＢインターフェースの試験装置には、過電流保護回路が内蔵されている。そして、供給電流が５００ｍＡ（ミリアンペア）を超えた場合には、電流供給を遮断することとしている。また、特許文献２によると、データラインの電源電位を確認して充電器の認証を行い、同じメーカーであれば電源供給を開始し、異なるメーカーでは電源供給を行わないこととしている。
【先行技術文献】
【特許文献】
【０００４】
【特許文献１】特開２００４−１４５５６１号公報
【特許文献２】特開２０１２−１９１７４４号公報
【発明の概要】
【発明が解決しようとする課題】
【０００５】
一般的なＵＳＢケーブルにはシールドが設けられている。電子機器とコンピューターとを一般的なＵＳＢケーブルで接続した場合、互いの機器間に電位レベルの差があっても、シールドにより電子機器側に備えられる制御基板に設けられる制御ＩＣ（Ｉｎｔｅｇｒａｔｅｄ  Ｃｉｒｃｕｉｔ）に過度の電圧が印加されず、過電圧の印加による制御ＩＣの破損のおそれは少ない。しかし、安価なＵＳＢケーブルや粗悪なＵＳＢケーブルには、シールドが設けられていないものもある。このようなＵＳＢケーブルを用いた場合、コンピューターとの接続時に電子機器側の制御ＩＣに過度の電圧が印加され、制御ＩＣが破損してしまうおそれがある。
【０００６】
特許文献１に開示の技術は、回路により過電流が検知されると、単にＶＢＵＳの接続を遮断することとするものである。このような構成では、過電流の検知により一律にＶＢＵＳの接続を遮断することとなり、このような対応が好ましくない場合もある。また、特許文献２によれば、データライン、すなわち、Ｄ＋端子とＤ−端子との電源電位の確認を行う必要がある。また、メーカーに応じたＵＳＢケーブルによる電源供給の遮断を避けたい場合もある。
【０００７】
この発明の目的は、適切に接続状態を制御することができる接続制御装置を提供することである。
【０００８】
この発明の他の目的は、より適切に画像を形成することができる画像形成装置を提供することである。
【課題を解決するための手段】
【０００９】
この発明の一つの局面においては、接続制御装置は、ケーブルを介して接続される所定の電子機器との間の接続状態を制御する。接続制御装置は、制御ＩＣと、電位レベル検出部と、サージ保護回路と、分離回路と、判断部と、回路動作制御部とを備える。制御ＩＣは、ケーブルを介してデータラインにより授受されるデータの通信を制御する。電位レベル検出部は、所定の電子機器から印加される電圧の電位レベルを検出する。サージ保護回路は、所定の電子機器から印加されるサージ電圧から制御ＩＣを保護する。分離回路は、制御ＩＣとデータラインとを分離する。判断部は、電位レベル検出部により検出された電圧の電位レベルが第一の閾値および第一の閾値よりも高い第二の閾値を超えているか否かを判断する。回路作動制御部は、判断部により電位レベルが第一の閾値を超えており、第二の閾値を超えていないと判断されれば、サージ保護回路を作動させ、判断部により電位レベルが第二の閾値を超えていると判断されれば、分離回路を作動させるよう制御する。
【００１０】
この発明の他の局面においては、画像形成装置は、接続制御装置と、画像形成部とを含む。接続制御装置は、ケーブルを介して接続される所定の電子機器との間の接続状態を制御する。画像形成部は、接続制御装置により制御された接続によるデータの授受に基づき画像を形成する。接続制御装置は、ケーブルを介して接続される所定の電子機器との間の接続状態を制御する。接続制御装置は、制御ＩＣと、電位レベル検出部と、サージ保護回路と、分離回路と、判断部と、回路動作制御部とを備える。制御ＩＣは、ケーブルを介してデータラインにより授受されるデータの通信を制御する。電位レベル検出部は、所定の電子機器から印加される電圧の電位レベルを検出する。サージ保護回路は、所定の電子機器から印加されるサージ電圧から制御ＩＣを保護する。分離回路は、制御ＩＣとデータラインとを分離する。判断部は、電位レベル検出部により検出された電圧の電位レベルが第一の閾値および第一の閾値よりも高い第二の閾値を超えているか否かを判断する。回路作動制御部は、判断部により電位レベルが第一の閾値を超えており、第二の閾値を超えていないと判断されれば、サージ保護回路を作動させ、判断部により電位レベルが第二の閾値を超えていると判断されれば、分離回路を作動させるよう制御する。
【発明の効果】
【００１１】
このような接続制御装置によると、検出された電位レベルが第一の閾値を超えていると判断されれば、サージ保護回路を作動させることとしている。そうすると、データラインにおけるデータの授受を確保しながら、制御ＩＣの保護を図ることができる。また、検出された電位レベルが、第一の閾値よりも高い第二の閾値を超えていると判断されれば、分離回路を作動させることとしている。そうすると、他の電子機器から印加される過電圧によって制御ＩＣが破損することはない。したがって、このような接続制御装置は、適切に接続状態を制御することができる。
【００１２】
また、このような画像形成装置によると、適切に接続状態を制御することができる接続制御装置を含むため、より適切に画像を形成することができる。
【図面の簡単な説明】
【００１３】
【図１】この発明の一実施形態に係る画像形成装置を複合機に適用した場合の複合機の外観を示す概略斜視図である。
【図２】図１に示す複合機の構成を示すブロック図である。
【図３】操作部の概略的な構成を示す外観図である。
【図４】接続制御装置の構成を示す図である。
【図５】制御部の構成を示すブロック図である。
【図６】複合機とコンピューターとを接続した場合の処理の流れを示すフローチャートである。
【図７】表示画面の表示の一例を示す図である。
【図８】表示画面の表示の一例を示す図である。
【発明を実施するための形態】
【００１４】
以下、この発明の実施の形態について説明する。図１は、この発明の一実施形態に係る画像形成装置を複合機に適用した場合の複合機の外観を示す図である。図２は、図１に示す複合機の構成を示すブロック図である。
【００１５】
図１および図２を参照して、この発明の一実施形態に係る複合機１１は、制御部１２と、操作部１３と、画像読み取り部１４と、画像形成部１５と、記憶部としてのハードディスク１６と、ファクシミリ通信部１７と、接続制御装置４１と、ネットワーク２５と接続するためのネットワークインターフェース部１８とを備える。
【００１６】
制御部１２は、複合機１１全体の制御を行う。操作部１３は、複合機１１側から発信する情報やユーザーの入力内容を表示する表示画面２１を含む。操作部１３は、印刷部数や階調等の画像形成の条件や電源のオンまたはオフをユーザーに入力させる。画像読み取り部１４は、セットされた原稿を自動的に読み取り位置へ搬送する自動原稿搬送装置（ＡＤＦ（Ａｕｔｏ  Ｄｏｃｕｍｅｎｔ  Ｆｅｅｄｅｒ））２２を含む。画像読み取り部１４は、ＡＤＦ２２によって搬送された原稿の画像や不図示の載置台上に載置された原稿の画像を読み取る。画像形成部１５は、読み取った画像データやネットワーク２５を介して送信された画像データを基に画像を形成する。ハードディスク１６は、送信された画像データや入力された画像形成条件等の格納を行う。ファクシミリ通信部１７は、公衆回線２４に接続されており、ファクシミリ送信やファクシミリ受信を行う。複合機１１は、接続制御装置４１により、ネットワーク２５を介さず、例えば、ＵＳＢケーブルを介して他の電子機器、例えば、コンピューター２６ｃと接続することができる。すなわち、接続制御装置４１は、ＵＳＢケーブルを介して接続される所定の電子機器、例えば、コンピューター２６ｃとの間の接続状態を制御する。接続制御装置４１は、ＵＳＢケーブルを用いて他の電子機器とデータの授受を行う場合に、複合機１１におけるいわゆる制御基板として機能する。画像形成部１５は、接続制御装置４１により制御された接続によるデータの授受に基づき画像を形成する。
【００１７】
なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。
【００１８】
複合機１１は、画像読み取り部１４により読み取られた原稿の画像データを用いて画像形成部１５において画像を形成し、用紙に印刷することにより、複写機として作動する。また、複合機１１は、ネットワークインターフェース部１８を通じて、ネットワーク２５に接続されたコンピューター２６ａ、２６ｂから送信された画像データを用いて、画像形成部１５において画像を形成し、用紙に印刷することにより、プリンターとして作動する。すなわち、画像形成部１５は、要求された画像を印刷する印刷部として作動する。また、複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。すなわち、複合機１１は、画像処理に関し、複写機能、プリンター機能、ファクシミリ機能等、複数の機能を有する。さらに、各機能に対しても、詳細に設定可能な機能を有する。
【００１９】
複合機１１を含む画像形成システム２７は、複合機１１と、コンピューター２６ｃとを備える。具体的には、画像形成システム２７は、上記した構成の複合機１１と、ＵＳＢケーブル３９を介して複合機１１に接続されるコンピューター２６ｃとを備える。コンピューター２６ｃには、コンピューター２６ｃ側から発信する情報やユーザーの入力内容を表示するディスプレイ２８と、コンピューター２６ｃへの入力時のインターフェースとなるキーボード２９および図示しないマウスが接続されている。コンピューター２６ｃは、ＵＳＢケーブル３９を介して画像データおよび印刷要求の命令を複合機１１に送信し、複合機１１を用いて印刷を行うことができる。すなわち、ＵＳＢケーブル３９で複合機１１に接続されたコンピューター２６ｃは、複合機１１をプリンターとして利用することができる。
【００２０】
次に、上記した操作部１３の構成について、さらに詳細に説明する。図３は、操作部１３の概略的な構成を示す外観図である。図３を参照して、操作部１３は、印刷部数等を入力させるための０〜９までの数字、および「＊」や「＃」の記号をユーザーに入力させるテンキー３１と、印刷の開始やファクシミリ送信の開始を指示させるスタートキー３２と、複合機１１の電源のオンまたはオフを入力させる電源キー３３と、複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。
【００２１】
次に、接続制御装置４１の構成について説明する。図４は、接続制御装置４１の構成を示す図である。図４を参照して、接続制御装置４１は、制御ＩＣ４２と、ＵＳＢ４３と、電位レベル検出抵抗体４４と、サージ保護回路４５と、分離回路４６とを備える。制御ＩＣ４２には、Ｄ＋端子およびＤ−端子と、データスイッチ端子と、サージスイッチ端子と、電位レベル検出端子とが設けられている。ＵＳＢ４３には、ＶＢＵＳ端子と、Ｄ＋端子およびＤ−端子と、ＳＧＮＤ端子とが設けられている。ＳＧＮＤ端子と電位レベル検出端子との間には、電位レベル検出抵抗体４４が設けられており、グランドに接続されている。電位レベル検出抵抗体４４および電位レベル検出端子は、電位レベル検出部として作動する。電位レベル検出抵抗体４４としては、例えば、０．５Ω（オーム）とか１．０Ωの抵抗値を有するものが用いられる。Ｄ＋端子同士およびＤ−端子同士はそれぞれ、データライン４７ａ、４７ｂで接続されており、データライン４７ａ、４７ｂを介してデータの授受を行う。サージスイッチ端子は、サージ保護回路４５に接続されており、信号によりサージ保護回路４５を作動させる。データスイッチ端子は、分離回路４６に接続されており、信号により分離回路４６を作動させる。なお、図４において、サージ保護回路４５は、一点鎖線で図示しており、分離回路４６は、二点鎖線で図示している。
【００２２】
次に、制御部１２の構成について、さらに詳細に説明する。図５は、制御部１２の構成を示すブロック図である。図５を参照して、制御部１２は、判断部５１と、回路作動制御部５２と、表示制御部５３とを備える。判断部５１は、電位レベル検出部により検出された電圧の電位レベルが第一の閾値を超えているか否かを判断する。回路作動制御部５２は、判断部３１により電位レベルが第一の閾値を超えており、第二の閾値を超えていないと判断されれば、サージ保護回路４５を作動させるよう制御する。また、回路作動制御部５２は、判断部５１により電圧の電位レベルが第二の閾値を超えていると判断されれば、分離回路４６を作動させるよう制御する。表示制御部５３は、サージ保護回路４５の作動または分離回路４６の作動の旨を操作部１３の表示画面２１に表示するよう制御する。表示制御部５３は、回路作動制御部５２によりサージ保護回路４５または分離回路４６が作動されれば、その旨を報知する報知部として作動する。
【００２３】
次に、この発明の一実施形態に係る複合機１１とコンピューター２６ｃとを接続した場合の処理の流れについて説明する。図５は、この発明の一実施形態に係る複合機１１とコンピューター２６ｃとを接続した場合の処理の流れを示すフローチャートである。
【００２４】
図６を参照して、ＵＳＢケーブル３９を介して、複合機１１とコンピューター２６ｃとを接続する。そうすると、制御部１１は、接続制御装置４１を介して、接続を検知する（図６において、ステップＳ１１、以下、「ステップ」を省略する）。この場合のＵＳＢケーブル３９は、いわゆるシールドが設けられていないものである。
【００２５】
次に、接続されたコンピューター２６ｃと複合機１１との電位レベルの差を検出する。この場合、コンピューター２６ｃと複合機１１に備えられる接続制御装置４１との間に電位レベルの差があれば、電位レベル検出抵抗体４４に電流が流れ、電圧が生じる。この電圧に基づく電位レベルを検出する（Ｓ１２）。例えば、上記した抵抗値１．０Ωの電位レベル検出抵抗体４４を用いた場合、電流１５Ａ（アンペア）が流れると、オームの法則に基づき、１５Ｖ（ボルト）の電位差が生じることとなる。この電位差に基づく電位レベルを検出する。
【００２６】
そして、判断部５１は、検出された電位レベルが第一の閾値を超えているか否かを判断する（Ｓ１３）。判断部５１により、第一の閾値を超えていないと判断されれば（Ｓ１３において、ＮＯ）、通常の接続状態を維持する（Ｓ１５）。そして、データライン４７ａ、４７ｂを通じてデータの授受を行う。この場合、サージ保護回路４５等が作動していないため、高品質なデータの授受を行うことができる。
【００２７】
一方、判断部５１により検出された電位レベルが第一の閾値を超えていると判断されれば（Ｓ１３において、ＹＥＳ）、次に、判断部５１は、検出された電圧の電位レベルが第一の閾値よりも高い第二の閾値を超えているか否かを判断する（Ｓ１４）。
【００２８】
回路作動制御部５２は、判断部５１により電位レベルが第一の閾値を超えており、第二の閾値を超えていないと判断されれば（Ｓ１４において、ＮＯ）、サージ保護回路４５を作動させる（Ｓ１６）。すなわち、サージ保護回路４５を作動させ、コンピューター２６ｃから印加されるサージ電圧から制御ＩＣ４２を保護する。そして、表示制御部５３は、その旨を表示画面２１に表示する。具体的には、サージ保護回路４５が作動した旨を表示画面２１に表示する（Ｓ１７）。
【００２９】
この場合、サージ保護回路４５の作動により、データライン４７ａ、４７ｂによって授受される信号の品質は低下することとなる。しかし、制御ＩＣ４２は、外部ノイズ等から保護される。すなわち、データの授受を確保しながら、制御ＩＣ４２を保護することができる。
【００３０】
図７は、この場合の表示画面２１の表示の一例を示す図である。図７を参照して、表示画面２１には、「サージ保護回路が作動しています。電位レベルを確認してください。」とのメッセージ５６と、押下により次の表示に移行する「確認」と記されたキー５７とが表示されている。このメッセージ５６により、サージ保護回路４５が作動している旨がユーザーに報知される。ユーザーは、メッセージ５６を確認し、キー５７を押下することにより、表示画面２１を次の画面へ移行させる。
【００３１】
また、回路作動制御部５２は、判断部５１により電位レベルが第二の閾値を超えていると判断されれば（Ｓ１４において、ＹＥＳ）、分離回路４６を作動させる（Ｓ１８）。すなわち、分離回路４６を作動させて、コンピューター２６ｃと接続制御装置４１とのデータライン４７ａ、４７ｂをカットし、電気的な接続を遮断する。そして、表示制御部５３は、その旨を表示画面２１に表示する。具体的には、分離回路４６が作動した旨を表示画面２１に表示する（Ｓ１９）。
【００３２】
この場合、分離回路４６の作動により、コンピューター２６ｃと接続制御装置４１との電気的な接続が遮断され、制御ＩＣ４２への過電圧の印加により破損を防止することができる。
【００３３】
図８は、この場合の表示画面２１の表示の一例を示す図である。図８を参照して、表示画面２１には、「分離回路が作動しています。電位レベルを確認してください。」とのメッセージ５８と、押下により次の表示に移行する「確認」と記されたキー５９とが表示されている。このメッセージ５８により、分離回路４６が作動している旨がユーザーに報知される。ユーザーは、メッセージ５８を確認し、キー５９を押下することにより、表示画面２１を次の画面へ移行させる。
【００３４】
このような構成の複合機１１によれば、検出された電位レベルが第一の閾値を超えていると判断されれば、サージ保護回路４５を作動させることとしている。そうすると、データライン４７ａ、４７ｂにおけるデータの授受を確保しながら、制御ＩＣ４２の保護を図ることができる。また、検出された電位レベルが、第一の閾値よりも高い第二の閾値を超えていると判断されれば、分離回路４６を作動させることとしている。そうすると、コンピューター２６ｃから印加される過電圧によって制御ＩＣ４２が破損することはない。したがって、このような複合機１１は、適切に接続状態を制御することができる。そして、適切な画像を形成することができる。
【００３５】
この場合、表示制御部５３により、表示画面２１にサージ保護回路４５の作動、および分離回路４６の作動の旨が表示される。したがって、ユーザーは、ＵＳＢケーブル３９の接続時に、サージ保護回路４５または分離回路４６が作動していることを視認することができる。
【００３６】
なお、上記の実施の形態においては、表示画面２１にサージ保護回路４５の作動、および分離回路４６の作動の旨が表示されることとしたが、これに限らず、報知部は、音声により報知することにしてもよいし、表示と共に音声により報知することにしてもよい。また、コンピューター２６ｃのディスプレイ２８に表示するようにしてもよい。
【００３７】
また、上記の実施の形態においては、電位レベル検出抵抗体４４を一つ用いて電位レベルを検出することとしたが、これに限らず、他の構成で電位レベルを検出してもよい。
【００３８】
なお、上記の実施の形態において、接続制御装置４１は、ＵＳＢケーブル３９による接続時における接続の制御を行うこととしたが、これに限らず、上記した構成を用いて、他のケーブルによる接続時における接続の制御を行うよう構成してもよい。
【００３９】
また、上記の実施の形態においては、電子機器としてコンピューター２６ｃを用いることとしたが、これに限らず、他の電子機器、例えば、携帯端末装置を用いることとしてもよい。
【００４０】
なお、上記の実施の形態においては、接続制御装置４１は、複合機１１に含まれることとしたが、これに限らず、他の電子機器等に含まれる構成としてもよい。この場合、接続制御装置４１が、制御部１２の機能を有するよう構成してもよい。
【００４１】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４２】
この発明に係る接続制御装置、および画像形成装置は、より適切な画像の形成が要求される場合に、特に有効に利用される。
【符号の説明】
【００４３】
１１  複合機、１２  制御部、１３  操作部、１４  画像読み取り部、１５  画像形成部、１６  ハードディスク、１７  ファクシミリ通信部、１８  ネットワークインターフェース部、２１  表示画面、２２  ＡＤＦ、２４  公衆回線、２５  ネットワーク、２６ａ，２６ｂ，２６ｃ  コンピューター、２７  画像形成システム、２８  ディスプレイ、２９  キーボード、３１  テンキー、３２  スタートキー、３３  電源キー、３４  メニューキー、３５  登録キー、３６  リセットキー、３９  ＵＳＢケーブル、４１  接続制御装置、４２  制御ＩＣ、４３  ＵＳＢ、４４  電位レベル検出抵抗体、４５  サージ保護回路、４６  分離回路、４７ａ，４７ｂ  データライン、５１  判断部、５２  回路作動制御部、５３  表示制御部、５６，５８  メッセージ、５７，５９  キー。
【図１】
2017084107.tif 000003
【図２】
2017084107.tif 000004
【図３】
2017084107.tif 000005
【図４】
2017084107.tif 000006
【図５】
2017084107.tif 000007
【図６】
2017084107.tif 000008
【図７】
2017084107.tif 000009
【図８】
2017084107.tif 000010